(57)【要約】【課題】非接触ＩＣカードとタグの両方の認証媒体を用いる認証システムにおいて通信障害がなるべく発生しないようにする。【解決手段】  認証システムは、読取装置と読取装置が識別情報を読み取る非接触ＩＣカードと、アクティブタグとからなる。非接触ＩＣカードとアクティブタグは共に読取装置から、識別情報を要求する要求信号を受けて、識別情報を含む応答信号を送信する。読取装置は、非接触ＩＣカードに対して送信する要求信号を、タグに対して定期的に送信する要求信号の合間に送信する。【選択図】図１
2010218532.tif 000002
【特許請求の範囲】
【請求項１】
第１の情報を保持し当該第１の情報をＵＨＦ帯にて送信するアクティブタグ及び第２の情報を保持し当該第２の情報をＨＦ帯にて送信する非接触ＩＣカードから、それぞれが保持する情報を読み取る読取装置であって、
前記第１の情報を要求する第１要求信号をＬＦ帯で送信する第１送信手段と、
前記第２の情報を要求する第２要求信号をＨＦ帯で送信する第２送信手段と、
前記第１送信手段に前記第１要求信号を所定の第１期間においてのみ送信させ、前記所定の第１期間を除く第２期間においてのみ、前記第２送信手段に前記第２要求信号を送信させる制御手段とを備える
ことを特徴とする読取装置。
【請求項２】
前記非接触ＩＣカードは、変調方式が異なる複数の通信方式のうちのいずれかの通信方式で通信を実行するものであって、
前記読取装置は、前記通信方式のいずれかを選択する選択手段を備え、
前記第２送信手段は、前記選択手段により選択された通信方式に基づいて、前記第２要求信号を送信する
ことを特徴とする請求項１記載の読取装置。
【請求項３】
前記非接触ＩＣカードは、変調方式が異なる複数の通信方式のうちのいずれかの通信方式で通信を実行するものであって、
前記複数の通信方式には、ＡＳＫ（Amplitude Shift Keying）１００％で変調される通信方式と、それ以外の通信方式が含まれ、
前記制御手段は、前記第２送信手段が前記ＡＳＫ１００％で変調される通信方式で非接触ＩＣカードに対する第２要求信号を送信する場合には、それ以外の通信方式と異なり例外的に前記所定の第１期間においてのみ前記第２要求信号を送信する
ことを特徴とする請求項１記載の読取装置。
【請求項４】
前記非接触ＩＣカードは、変調方式が異なる複数の通信方式のうちのいずれかの通信方式で通信を実行するものであって、
前記複数の通信方式には、ＡＳＫ（Amplitude Shift Keying）１０％で変調される通信方式と、それ以外の通信方式が含まれ、
前記制御手段は、前記第２送信手段が前記ＡＳＫ１０％で変調される通信方式以外の通信方式で非接触ＩＣカードに対する第２要求信号を送信する場合には、前記ＡＳＫ１０％の通信方式と異なり例外的に前記所定の第１期間においてのみ前記第２要求信号を送信する
ことを特徴とする請求項１記載の読取装置。
【請求項５】
前記非接触ＩＣカードには、第１通信方式で通信を実行するものと、前記第１通信方式とは変調方式が異なる第２通信方式で通信を実行するものとが含まれ、
前記第２送信手段は、予め定められた順序に従い前記第１通信方式と前記第２通信方式とを切り替えて、前記第２要求信号を送信する
ことを特徴とする請求項１記載の読取装置。
【請求項６】
前記アクティブタグは、前記読取装置から非接触で電力を供給されて前記第１の情報を送信する第１通信方式と自機に搭載されている電池から電力を供給されてＵＨＦ帯で前記第１の情報を送信する第２通信方式のいずれかを選択して通信を実行するものであり、
前記読取装置は、前記第１通信方式と前記第２通信方式のいずれかの通信方式を選択する選択手段を備え、
前記第１送信手段は、前記選択手段により選択された通信方式で前記第１要求信号を送信する
ことを特徴とする請求項１記載の読取装置。
【請求項７】
前記所定の送信期間は、複数の単位期間からなり、前記停止期間は、当該単位期間の合間に設けられる
ことを特徴とする請求項１記載の読取装置。
【請求項８】
前記非接触ＩＣカードは、変調方式が異なる複数の通信方式のうちのいずれかの通信方式で通信を実行するものであって、前記複数の通信方式は、非接触ＩＣカードが前記要求信号に対する応答信号をサブキャリア負荷変調して送信するものと、非接触ＩＣカードがそれ以外の変調方式で応答信号を送信するものとを含み、
前記制御手段は、前記第２送信手段に、前記サブキャリア方式で信号を送信する非接触ＩＣカードに対する第２要求信号を送信する場合には、前記それ以外の変調方式で信号を送信する非接触ＩＣカードに対する第２要求信号を送信する場合と異なり、例外的に前記第１期間においても、前記第２要求信号を送信させる
ことを特徴とする請求項１記載の読取装置。
【請求項９】
前記制御手段は、前記サブキャリア負荷変調で信号を送信する非接触ＩＣカードのうち、前記第２送信手段がＡＳＫ１００％で変調した要求信号を受信する非接触カードに対する要求信号については、例外的に前記第１期間においてのみ前記第２送信手段に前記第２要求信号を送信させる
ことを特徴とする請求項８記載の読取装置。
【請求項１０】
アクティブタグと、非接触ＩＣカードと、読取装置を含んで構成される認証システムであって、
前記アクティブタグは、
第１の情報を保持するメモリと、
前記読取装置から前記第１の情報を要求する第１要求信号を受信した場合にＵＨＦ帯で前記第１の情報を含む応答信号を送信する送信手段とを備え、
前記非接触ＩＣカードは、
第２の情報を保持するメモリと、
前記読取装置から前記第２の情報を要求する第２要求信号を受信した場合にＨＦ帯で前記第２の情報を含む応答信号を送信する送信手段とを備え、
前記読取装置は、
前記第１の情報を要求する第１要求信号をＬＦ帯で送信する第１送信手段と、
前記第２の情報を要求する第２要求信号をＨＦ帯で送信する第２送信手段と、
前記第１送信手段に前記第１要求信号を所定の第１期間においてのみ送信させ、前記所定の第１期間を除く第２期間においてのみ、前記第２送信手段に前記第２要求信号を送信させる制御手段とを備える
ことを特徴とする認証システム。
【発明の詳細な説明】
【技術分野】
【０００１】
本発明は、非接触ＩＣカードに代表される認証媒体から識別情報を読み取る読取装置に関する。
【背景技術】
【０００２】
従来から、非接触ＩＣカードを利用した認証システムがある。非接触ＩＣカードは、非接触ＩＣカードが有する識別情報を読み取る読取装置（カードリーダ）から無線による電力の供給並びに識別情報を要求する要求信号（質問信号ともいう）を受けて、保持している識別情報を送信する。
この認証システムでは、例えば、ユーザがセキュリティエリアの扉脇に設置された読取装置（カードリーダ）に非接触ＩＣカードをかざすと読取装置が非接触ＩＣカードの識別情報を読み取り、読み取った識別情報が読取装置に予め記憶されている識別情報群に含まれていた場合に、扉に設けられている電気錠を解錠するといった運用がなされる。
【０００３】
このような認証システムにおいては、非接触ＩＣカードは読取装置から無線によって供給される電力しか識別情報の送信に用いることができないため、その送信出力では近接通信しかできない。この近距離通信しかできないという制約により、ユーザが読取装置に非接触ＩＣカードをかざさなければならなくなることから、誰がセキュリティエリアに入ろうとしているのかが周囲から認識されやすくなるため、セキュリティが十分確保されることになる。
【０００４】
一方で、その近接通信しかできないシステムにおいては、高度のセキュリティ保護が要求されないセキュリティエリアにおいては、ユーザはいちいち読取装置のそばまで行って非接触ＩＣカードをかざすという行動を起こさなくてはいけないため、その運用においてユーザの利便性を欠くという面も有している。
そこで、高度のセキュリティ保護が要求されないセキュリティエリアのユーザの出入りを管理する目的で、電池を内蔵して、読取装置からの識別情報を要求する要求信号を受けて識別情報を含む応答信号をより遠くまで飛ばせる認証媒体（タグ）と当該タグが保持する識別情報を読み取る読取装置（タグリーダ）とを含む認証システムも開発されている。
【０００５】
特許文献１には、そのようなタグリーダ及びタグが開示されている。
【先行技術文献】
【特許文献】
【０００６】
【特許文献１】特開２００８−１７７７７５号公報
【発明の概要】
【発明が解決しようとする課題】
【０００７】
ところで、ユーザの利便性を高めるために非接触ＩＣカードを認証するシステムに更にタグを認証する機能を追加する、あるいは、その逆にタグを認証するシステムに非接触ＩＣカードを認証する機能を追加して両方を認証する読取装置を構成することが考えられる。
しかしながら、非接触ＩＣカードに対する要求信号と、タグに対する要求信号とは互いにもう一方に対するノイズとなりえるため、非接触ＩＣカードあるいはタグにおいて要求信号が正しく受信できなくなる可能性がある。
【０００８】
そこで、本発明においては、２種類以上の認証媒体と異なる周波数帯域で通信を実行する読取装置において、ＩＣカード又はタグにおいてできるだけ正しく信号を受信させることができる読取装置及び当該読取装置を含む認証システムを提供することを目的とする。
【課題を解決するための手段】
【０００９】
上記課題を解決するため、本発明に係る読取装置は、第１の情報を保持し当該第１の情報をＵＨＦ帯にて送信するアクティブタグ及び第２の情報を保持し当該第２の情報をＨＦ帯にて送信する非接触ＩＣカードから、それぞれが保持する情報を読み取る読取装置であって、前記第１の情報を要求する第１要求信号をＬＦ帯で送信する第１送信手段と、前記第２の情報を要求する第２要求信号をＨＦ帯で送信する第２送信手段と、前記第１送信手段に前記第１要求信号を所定の第１期間においてのみ送信させ、前記所定の第１期間を除く第２期間においてのみ、前記第２送信手段に前記第２要求信号を送信させる制御手段とを備えることを特徴としている。
【００１０】
また、本発明に係る認証システムは、アクティブタグと、非接触ＩＣカードと、読取装置を含んで構成される認証システムであって、前記アクティブタグは、第１の情報を保持するメモリと、前記読取装置から前記第１の情報を要求する第１要求信号を受信した場合にＵＨＦ帯で前記第１の情報を含む応答信号を送信する送信手段とを備え、前記非接触ＩＣカードは、第２の情報を保持するメモリと、前記読取装置から前記第２の情報を要求する第２要求信号を受信した場合にＨＦ帯で前記第２の情報を含む応答信号を送信する送信手段とを備え、前記読取装置は、前記第１の情報を要求する第１要求信号をＬＦ帯で送信する第１送信手段と、前記第２の情報を要求する第２要求信号をＨＦ帯で送信する第２送信手段と、前記第１送信手段に前記第１要求信号を所定の第１期間においてのみ送信させ、前記所定の第１期間を除く第２期間においてのみ、前記第２送信手段に前記第２要求信号を送信させる制御手段とを備えることを特徴としている。
【発明の効果】
【００１１】
上述のような構成によって、読取装置は、第１要求信号を送信していないタイミングで、第２要求信号を送信するので、第１要求信号と第２要求信号とが互いに対するノイズになることはなく、アクティブタグあるいは非接触ＩＣカードにおいて要求信号が正しく受信されなくなる可能性を低減することができる。
また、前記非接触ＩＣカードは、変調方式が異なる複数の通信方式のうちのいずれかの通信方式で通信を実行するものであって、前記読取装置は、前記通信方式のいずれかを選択する選択手段を備え、前記第２送信手段は、前記選択手段により選択された通信方式に基づいて、前記第２要求信号を送信することとしてもよい。
【００１２】
これにより、読取装置は、例えばユーザからの指示を受け付けて、ユーザ側で所望する非接触ＩＣカードに対する認証を行うことができる。
また、前記非接触ＩＣカードは、変調方式が異なる複数の通信方式のうちのいずれかの通信方式で通信を実行するものであって、前記複数の通信方式には、ＡＳＫ（Amplitude Shift Keying）１００％で変調される通信方式と、それ以外の通信方式が含まれ、前記制御手段は、前記第２送信手段が前記ＡＳＫ１００％で変調される通信方式で非接触ＩＣカードに対する第２要求信号を送信する場合には、それ以外の通信方式と異なり例外的に前記所定の第１期間においてのみ前記第２要求信号を送信することとしてもよい。
【００１３】
あるいは、前記非接触ＩＣカードは、変調方式が異なる複数の通信方式のうちのいずれかの通信方式で通信を実行するものであって、前記複数の通信方式には、ＡＳＫ（Amplitude Shift Keying）１０％で変調される通信方式と、それ以外の通信方式が含まれ、前記制御手段は、前記第２送信手段が前記ＡＳＫ１０％で変調される通信方式以外の通信方式で非接触ＩＣカードに対する第２要求信号を送信する場合には、前記ＡＳＫ１０％の通信方式と異なり例外的に前記所定の第１期間においてのみ前記第２要求信号を送信することとしてもよい。
【００１４】
これにより、読取装置は、変調度の高いＡＳＫ１００％などの、信号における「０」と判断される振幅と「１」と判断される振幅の差が大きく、ノイズに対して強い通信方式を使用する場合には、非接触ＩＣカードに対する要求信号を第１期間において送信するので、読取装置が情報を読み取れるべき非接触ＩＣカードの通信方式が複数ある場合には、要求信号の送信にあたり、時間をより有効に用いることができる。
【００１５】
また、前記非接触ＩＣカードには、第１通信方式で通信を実行するものと、前記第１通信方式とは変調方式が異なる第２通信方式で通信を実行するものとが含まれ、前記第２送信手段は、予め定められた順序に従い前記第１通信方式と前記第２通信方式とを切り替えて、前記第２要求信号を送信することとしてもよい。
これにより、通信方式の異なる非接触ＩＣカードを使用する場合に、その通信方式を切り替えながら要求信号を送信することで、通信方式が違いに異なる非接触ＩＣカードを同一システム内において運用することができる。
【００１６】
また、前記アクティブタグは、前記読取装置から非接触で電力を供給されて前記第１の情報を送信する第１通信方式と自機に搭載されている電池から電力を供給されてＵＨＦ帯で前記第１の情報を送信する第２通信方式のいずれかを選択して通信を実行するものであり、前記読取装置は、前記第１通信方式と前記第２通信方式のいずれかの通信方式を選択する選択手段を備え、前記第１送信手段は、前記選択手段により選択された通信方式で前記第１要求信号を送信することとしてもよい。
【００１７】
これにより、読取装置がアクティブタグに対して非接触で電力を供給することができる通信方式で要求信号を送信することができるので、アクティブタグは電池の電力が切れたとしても、読取装置から電力の供給を受けて認証を行うことができ、例えば、アクティブタグの電池がなくなった状態でのユーザの部屋への閉じ込めといった事態を回避することができる。また、電力を供給する場合と供給しない場合とで切り替えができるように構成することで、例えば、通常は電力を供給しない通信方式でアクティブタグに対する要求信号を送信して、その間電力を供する通信号式では要求信号を送信しないことで読取装置における省電力を図ることもできる。
【００１８】
また、前記所定の送信期間は、複数の単位期間からなり、前記停止期間は、当該単位期間の合間に設けられることとしてもよい。
これにより、第１期間と第２期間と繰り返し、適切な時間単位に区切ることにより、アクティブタグと非接触ＩＣカードに対する要求信号を交互に送信する構成をとることになり、アクティタグ、あるいは、非接触ＩＣカードのいずれかに対する要求信号の送信が偏ることを防止できる。つまり、各認証媒体の認証に係る時間即ちレスポンスの最長時間の短縮を図れる。
【００１９】
また、前記非接触ＩＣカードは、変調方式が異なる複数の通信方式のうちのいずれかの通信方式で通信を実行するものであって、前記複数の通信方式は、非接触ＩＣカードが前記要求信号に対する応答信号をサブキャリア負荷変調して送信するものと、非接触ＩＣカードがそれ以外の変調方式で応答信号を送信するものとを含み、前記制御手段は、前記第２送信手段に、前記サブキャリア方式で信号を送信する非接触ＩＣカードに対する第２要求信号を送信する場合には、前記それ以外の変調方式で信号を送信する非接触ＩＣカードに対する第２要求信号を送信する場合と異なり、例外的に前記第１期間においても、前記第２要求信号を送信させることとしてもよい。
【００２０】
非接触ＩＣカードが発するサブキャリア負荷変調で変調された信号は、読取装置にとって、「０」、「１」の区別が容易であり、読取装置が発信している要求信号との間の干渉にかかわらず、正しく受信できる。そこで、サブキャリア負荷変調で変調された応答信号を発する非接触ＩＣカードに対する要求信号については、第１期間、第２期間の両方で要求信号を送信して、読取サイクルを早めることになり、サブキャリア負荷変調で変調された応答信号を発する非接触ＩＣカードを使用するユーザの利便性を高めることができる。
【００２１】
また、前記制御手段は、前記サブキャリア負荷変調で信号を送信する非接触ＩＣカードのうち、前記第２送信手段がＡＳＫ１００％で変調した要求信号を受信する非接触カードに対する要求信号については、例外的に前記第１期間においてのみ前記第２送信手段に前記第２要求信号を送信させることとしてもよい。
これによって、サブキャリア負荷変調で変調された応答信号を発する非接触ＩＣカードのうち、ＡＳＫ１００％以外のパーセンテージで変調された要求信号を受信する非接触ＩＣカードの識別子の読取サイクルを早めることになり、当該非接触ＩＣカードを使用するユーザの利便性を高めることができる。
【図面の簡単な説明】
【００２２】
【図１】認証システムのシステム構成を示したシステム図である。
【図２】読取装置の機能構成を示した機能ブロック図である。
【図３】タグの機能構成を示した機能ブロック図である。
【図４】非接触ＩＣカードの機能構成を示した機能ブロック図である。
【図５】読取装置が保持する認証情報のデータ構成を示す図である。
【図６】ハイブリッドリーダや上位装置が保持する認証履歴情報のデータ構成を示す図である。
【図７】実施の形態１に係るハイブリッドリーダ１００の要求信号の送信に係る動作を示すフローチャートである。
【図８】実施の形態１に係る要求信号の送信のタイミングを示すタイミングチャートである。
【図９】実施の形態１に係る要求信号の送信のタイミングの一例を示すタイミングチャートである。
【図１０】実施の形態１に係る要求信号の送信のタイミングの一例を示すタイミングチャートである。
【図１１】実施の形態１に係る要求信号の送信のタイミングの一例を示すタイミングチャートである。
【図１２】実施の形態２に係るハイブリッドリーダ１００の要求信号の送信に係る動作を示すフローチャートである。
【図１３】実施の形態２に係る要求信号の送信のタイミングを示すタイミングチャートである。
【図１４】ハイブリッドリーダ−非接触ＩＣカード間の通信における変調方式を示した表である。
【図１５】実施の形態３に係るハイブリッドリーダ１００の要求信号の送信に係る動作を示すフローチャートである。
【図１６】実施の形態３に係る要求信号の送信のタイミングを示すタイミングチャートである。
【発明を実施するための形態】
【００２３】
＜実施の形態１＞
以下、本発明の一実施形態である読取装置及び読取装置が用いられる認証システムについて図面を用いて説明する。なお、以下、「読取装置」を、非接触ＩＣカードとタグの両方を認証するものであるので、「ハイブリッドリーダ」と呼称する。
＜構成＞
図１は、認証システムのシステム構成を示すシステム図である。
【００２４】
図１に示すように認証システムは、ハイブリッドリーダ１００と、第１種の認証媒体であるアクティブタグ１１０と、第２種の認証媒体である非接触ＩＣカード１２０と、上位装置１３０とを含んで構成される。
ここで、認証システムにおける各装置の通常の認証における動作について簡単に説明しておく。ハイブリッドリーダ１００は、認証媒体（アクティブタグ１１０もしくは非接触ＩＣカード１２０）に対して識別情報を要求する要求信号を送信している。認証媒体は、要求信号を受けると、自身で保持する識別情報を含む応答信号をハイブリッドリーダ１００に送信する。するとハイブリッドリーダ１００は、自装置で記憶している識別情報群の中に応答信号に含まれていた識別情報があった場合に扉１４０に設けられた電気錠１５０を解錠するとともに、認証を行ったことや解錠を行ったことを示す履歴情報を上位装置１３０に送信し、上位装置１３０は送信されてきた履歴情報を記録保存する。
【００２５】
では、ここから図１に示す認証システムに係る各装置について詳細に説明していく。
＜ハイブリッドリーダ１００の構成＞
まず、図２を用いてハイブリッドリーダ１００を説明する。
図２は、ハイブリッドリーダ１００の機能構成を示した機能ブロック図である。図２に示すようにハイブリッドリーダ１００は、Ｉ/Ｆ（InterFace）部２１０と、操作部２２０と、通知部２３０と、ＬＦ（Low Frequency）帯送受信器２４０と、ＵＨＦ（Ultra High Frequency)帯受信器２５０と、ＨＦ(High Frequency)帯送受信器２６０と記憶部２７０と、ＣＰＵ（Central Processing Unit）２８０とを含んで構成される。
【００２６】
Ｉ/Ｆ部２１０は、上位装置１３０及び電気錠１５０と予め定められた通信規格（例えばＲＳ−４８５規格）に従って通信を実行する機能を有する。より具体的には、Ｉ/Ｆ部２１０は、上位装置１３０から送信されてくる信号をＣＰＵ２８０に伝達する機能と、ＣＰＵ２８０から伝達されてきた履歴情報を上位装置１３０に送信したり、ＣＰＵ２８０から伝達されてきた電気錠１５０に対する施解錠の指示信号を電気錠１５０に送信する機能を有する。
【００２７】
操作部２２０は、ハイブリッドリーダ１００の化粧パネルに設けられた操作ボタンを含み、当該操作ボタンに対するユーザからの入力に基づいて、ＬＦ帯送受信器２４０に対して、通信方式の切り替えを指示する機能を有する。
通知部２３０は、ハイブリッドリーダ１００の化粧パネルに備えられたＬＥＤあるいはＬＣＤ（Liquid Crystal Display）を用いてハイブリッドリーダ１００におけるエラーの発生等の状態の通知や、認証に係る情報をユーザに通知する機能を有する。
【００２８】
ＬＦ帯送受信器２４０は、アクティブタグ１１０と通信を実行するものであり、ＣＰＵ２８０から伝達されたアクティブタグ１１０の識別情報を要求する要求信号を変調して、ＬＦ帯（１３５kHz帯）でＬＦアンテナ２４１を介して送信する機能と、ＬＦ帯で送信されてきた信号を受信してＣＰＵ２８０に伝達する機能とを有する。
ＵＨＦ帯受信器２５０は、アクティブタグ１１０からの信号をＵＨＦ帯（４００MHz帯）でＵＨＦアンテナ２５１を介して受信し、受信した信号を復調してＣＰＵ２８０に伝達する機能を有する。
【００２９】
ＨＦ帯送受信器２６０は、非接触ＩＣカード１２０と通信を実行するものであり、ＣＰＵ２８０から伝達された非接触ＩＣカード１２０の識別情報を要求する要求信号を変調して、ＨＦ帯（１３．５６MHz帯）でＨＦアンテナ２６１を介して送信する機能と、ＨＦ帯で送信されてきた信号を受信してＣＰＵ２８０に伝達する機能とを有する。
記憶部２７０は、ＨＤＤ（Hard Disc Drive）、メモリ等を含んで構成され、ハイブリッドリーダ１００が動作上必要とする各種データ、プログラムを記憶する機能を有する。また、記憶部２７０は、認証の際に参照する認証情報２７１を記憶している。
【００３０】
ＣＰＵ２８０は、記憶部２７０に記憶されているプログラムを実行することによりハイブリッドリーダ１００の各部を制御する機能を有する。ＣＰＵ２８０は、ＨＦ帯送受信器２６０からＨＦ帯送受信器２６０が読み取った非接触ＩＣカードの識別情報を伝達されて認証情報２７１を用いて認証を行う機能を有する。
また、ＣＰＵ２８０は以下の機能も有する。ＣＰＵ２８０は、ＬＦ帯送受信器２４０にアクティブタグの識別情報を要求するための第１要求信号の送信の開始を指示する。当該指示後、所定時間ｔ１が経過すると第１要求信号の送信の停止を指示するとともに、ＨＦ送受信器２６０に非接触ＩＣカードの保持する識別情報を要求するための第２要求信号の送信の開始を指示する。そして、ＣＰＵ２８０は、所定時間ｔ２が経過するとＨＦ帯送受信器２６０に第２要求信号の送信の停止を指示するとともに、ＬＦ帯送受信器２４０に第１要求信号の送信の開始を指示する。ＣＰＵ２８０は、上述の要求信号の送信の切り替えの指示を繰り返す。なお、ＣＰＵ２８０は、ＬＦ帯の要求信号とＨＦ帯の要求信号との送信の切り替えの直前で応答信号を受信した場合には、そこから認証に係る処理のための時間を要し、ハイブリッドリーダ１００は認証媒体（アクティブタグ１１０あるいは非接触ＩＣカード１２０）との間で通信も行うため、認証処理を行ってから切り替えることとし、この場合、予め定められている時間制限（上述の時間ｔ１及び時間ｔ２）を越えてもよいものとする。
＜アクティブタグ１１０の構成＞
次に、アクティブタブ１１０について説明する。
【００３１】
図３は、アクティブタグ１１０の機能構成を示した機能ブロック図である。図３に示すようにアクティブタグ１１０は、ＬＦ帯送受信器３１０と、ＵＨＦ帯送信器３２０と、メモリ３３０と、ボタン３４０と、電池３５０と、ＣＰＵ３６０とを含んで構成される。
ＬＦ帯送受信器３１０は、ＬＦアンテナ３１１を介して、ハイブリッドリーダ１００からの第１要求信号を受信して、受信した第１要求信号を復調してＣＰＵ３６０に伝達する機能と、ＣＰＵ３６０から伝達されてきた応答信号を変調してＬＦアンテナ３１１を介して送信する機能とを有する。
【００３２】
ＵＨＦ帯送信器３２０は、ＣＰＵ３６０から伝達されてきた第１応答信号を変調してＵＨＦアンテナ３２１を介して送信する機能を有する。
メモリ３３０は、識別情報３３１を記憶する機能を有する。
ボタン３４０は、ユーザからの操作を受け付けるボタンであり、ユーザの押下を受け付けた場合に、その旨をＣＰＵ３６０に伝達する機能を有する。
【００３３】
電池３５０は、ＵＨＦ帯で第１応答信号を送信するための電力をＵＨＦ帯送信器３２０とＣＰＵ３６０に供給する機能を有する。
ＣＰＵ３６０は、アクティブタグ１１０の各部を制御する機能を有する。ＣＰＵ３６０は、ＬＦ帯送受信器３１０から伝達されてきた第１要求信号に応じて、メモリ３３０から識別情報３３１を読み出し、第１応答信号としてＵＨＦ帯送信器３２０に伝達する機能を有する。また、ハイブリッドリーダ１００からの要求信号を受信した時のみボタン３４０の押下による応答信号をＵＨＦ帯送信器３２０に送信させる機能を有する。
＜非接触ＩＣカード１２０の構成＞
次に、非接触ＩＣカード１２０について説明する。
【００３４】
図４に示すように、非接触ＩＣカード１２０は、ＨＦ帯送受信器４１０と、メモリ４２０と、ＣＰＵ４３０とを含んで構成される。
ＨＦ帯送受信器４１０は、ＨＦアンテナ４１１を介してハイブリッドリーダ１００からの第２要求信号を受信して、受信した信号を復調してＣＰＵ４３０に伝達する機能を有する。また、ＨＦ帯送受信器４１０は、ＣＰＵ４３０から伝達されてきた第２応答信号を変調してＨＦアンテナ４１１を介してＨＦ帯で送信する機能を有する。
【００３５】
メモリ４２０は、識別情報４２１を記憶する機能を有する。
ＣＰＵ４３０は、非接触ＩＣカード１２０の各部を制御する機能を有する。ＣＰＵ４３０は、ＨＦ帯送受信器４１０から伝達されてきた第２要求信号に応じて、メモリ４２０から識別情報４２１を読み出し、第２応答信号としてＨＦ帯送信器４１０に伝達する機能を有する。
＜上位装置１３０＞
上位装置１３０について、簡単に説明しておくと、上位装置１３０は、ハイブリッドリーダ１００で行われてた認証等に係る履歴を保持する装置であり、複数のハイブリッドリーダが接続されていた場合には、各ハイブリッドリーダにおける履歴を保持、管理するものである。上位装置１３０は、ハイブリッドリーダ１００にハイブリッドリーダ１００が保持する認証情報２７１に新たな識別情報の追加を指示したり、認証情報２７１に記録されている識別情報を削除したりする機能と、ハイブリッドリーダ１００から送信される認証履歴情報を記録保持する機能を有する。
＜データ＞
ここから、認証情報２７１について説明する。
【００３６】
認証情報２７１は、ハイブリッドリーダ１００が認証を行うエリアについての誰の入退室を許可するのかの権限を示すものである。
図５は、認証情報２７１のデータ概念図である。
図５に示すように、認証情報２７１は、管理No.５０１に、識別情報５０２と、ユーザ名５０３とを対応付けた情報群である。
管理No.５０１は、ハイブリッドリーダ１００が各認証情報を管理するために便宜上付した管理番号である。
識別情報５０２は、アクティブタグ、非接触ＩＣカードに固有の識別情報である。当該識別情報の先頭２文字分（ここでは文字列形式で２文字分）のデータで、アクティブタグと非接触ＩＣカードの分別がなされる。即ち、アクティブタグの場合には識別情報は、「ＩＤ」からはじまり、非接触ＩＣカードの場合には識別情報は、「ＩＣ」からはじまる。
ユーザ名５０３は、アクティブタグ、非接触ＩＣカードを保持するユーザの名前である。
例えば、管理No.「10687」に対応する非接触ＩＣカードの識別情報は、「IC00006898」であり、その非接触ＩＣカードを保持するユーザの名前は、「佐藤加奈」となっている。
認証情報２７１へのデータの追加や削除は、上位装置１３０から行われる。
図６は、ハイブリッドリーダ１００及び上位装置１３０が保持する認証の履歴を示す認証履歴６００のデータ概念図である。当該認証履歴６００は、ハイブリッドリーダ１００及び上位装置１３０に保持される。ハイブリッドリーダ１００には所定数（例えば２万件）の、上位装置１３０には全ての認証や解錠等のイベントにかかる履歴が残される。
図６に示すように、認証履歴６００は、管理No.６０１に識別情報６０２と、ユーザ名６０３と、場所６０４と、日時６０５と、イベント６０６とを対応付けた情報である。
管理No.６０１は、ハイブリッドリーダ１００あるいは上位装置１３０が各認証情報を管理するために便宜上付した管理番号である。
識別情報６０２は、認証に使用されたアクティブタグもしくは非接触ＩＣカードに固有の識別情報である。
ユーザ名６０３は、認証に使用されたアクティブタグもしくは非接触ＩＣカードを保持するユーザの名前である。
場所６０４は、イベント、例えば認証の実行、鍵のこじ開けや電池電圧の低下など、が発生したエリアあるいは認証装置の情報である。
日時６０５は、イベントが発生した日時の情報である。
イベント６０６は、発生したイベントの内容を示す情報である。
例えば、管理No.「087882」に対応する識別情報は、「IC00006897」であり、そのヘッダ部分で認証媒体が非接触ＩＣカードであり、当該非接触ＩＣカードを保持するユーザの名前は、「青井紀子」であり、認証が行われた場所は、「エリアＡ」であり、認証を行った日時は、「２００８年１１月１２日  １２時１３分」であり、イベント内容によれば、青井紀子は、エリアＡから「退室」したこととなっている。なお、発生したイベントが認証に関わるものでない場合には、識別情報６０２やユーザ名６０３に該当するデータはないことになる。図６では、「−」と記載している。
＜動作＞
ここから、本実施の形態におけるハイブリッドリーダ１００の動作を図７に示すフローチャートを用いて説明する。
【００３７】
ハイブリッドリーダ１００のＣＰＵ２８０は、ＬＦ帯送受信器２４０に、非接触ＩＣカードに対して識別情報を要求する要求信号を送信させる（ステップＳ７０１）。
ＣＰＵ２８０は、ＬＦ帯送受信器２４０に要求信号の送信を開始させてから、所定時間ｔ１が経過したか否かを判断する（ステップＳ７０２）。所定時間が経過していなかった場合には（ステップＳ７０２のＮＯ）、ステップＳ７０２に戻り、以降の処理を実行する。
【００３８】
所定時間が経過していた場合には（ステップＳ７０２のＹＥＳ）、ＣＰＵ２８０は、ＬＦ帯送受信器２４０に要求信号の送信の停止を指示する（ステップＳ７０３）。
そして、その指示の後にＣＰＵ２８０は、ＨＦ帯送受信器２６０に、非接触ＩＣカードの識別情報を要求する要求信号の送信の開始を指示する（ステップＳ７０４）。
ＨＦ帯送受信器２６０は、非接触ＩＣカードが送信した要求信号に対する応答である応答信号を受信した場合に（ステップＳ７０５のＹＥＳ）、当該応答信号を復調してＣＰＵ２８０に伝達する。あるいは、ＬＦ送受信器２４０又はＵＨＦ帯受信器２５０は、アクティブタグが送信した応答信号を受信した場合に（ステップＳ７０５のＹＥＳ）、当該応答信号を復調してＣＰＵ２８０に伝達する。そして、ＣＰＵ２８０は、伝達された応答信号に含まれる識別情報が、認証情報２７１に含まれているか否かを判定する認証処理を実行する（ステップＳ７０６）。なお、応答信号を受信していない場合には（ステップＳ７０５のＮＯ）、ステップＳ７０７に移行する。
【００３９】
ＣＰＵ２８０は、ＨＦ帯送受信器２６０に、要求信号の送信を開始させてから所定時間ｔ２が経過したか否かを判定する（ステップＳ７０７）。所定時間が経過していない場合には（ステップＳ７０７のＮＯ）、ステップＳ７０５に戻り以降の処理を実行する。
所定時間が経過していた場合には（ステップＳ７０７のＹＥＳ）、ＨＦ帯送受信器２６０に要求信号の送信の停止を指示し（ステップＳ７０８）、ステップＳ７０１の処理に戻る。
【００４０】
以上の動作を行うことで、各周期においてハイブリッドリーダ１００が送信している信号のタイミングを図８及び図９を用いて説明する。
まず、図８を用いて、アクティブタグあるいは非接触ＩＣカードのいずれか一方しか認証システムにおいて使用されない場合についての信号の送信タイミングを説明する。
図８（ａ）は、アクティブタグのみを用いるシステムにおける要求信号の送信タイミングを示しており、図８（ａ）における時間Ｔ０が一周期である。図８（ａ）において、「ＬＦ」で示すブロックが要求信号を送信しているタイミングである。また、図８（ａ）において、点線で示すブロック「ＵＨＦ１」から「ＵＨＦ５」のブロックは、ＬＦ帯送受信器２４０が発信した要求信号に対するアクティブタグからの応答信号が送信されてくる可能性のあるスロットを示している。この周期Ｔ０が繰り返されることにより、読取装置におけるアクティブタグの認証が行われる。
【００４１】
一方、図８（ｂ）や、図８（ｃ）は、従来において非接触ＩＣカードのみを用いたシステムにおける非接触ＩＣカードに対して送信する要求信号のタイミングを示す図である。ここで説明しておくと、非接触ＩＣカードと読取装置とで通信する際の通信方式には複数あり、通常は、その複数の通信方式の中の一つの通信方式を用いる。
図８（ｂ）は、一つの通信方式でしか非接触ＩＣカードと通信しない場合を示しており、図８（ｂ）においては、その通信方式の一つであるFeliCa（登録商標）を用いるシステムの場合を示している。本図に示すように、非接触ＩＣカードに対する要求信号が定期的に送信される。
【００４２】
また、図８（ｃ）は、複数の通信方式の異なる非接触ＩＣカードが使用されるシステムにおける要求信号の送信タイミングを示す図である。非接触ＩＣカードで使用される通信方式には、上述のFeliCa（登録商標）の他にもISO14443typeA（以降typeAと記載する）やISO15693typeB（以降typeBと記載する）、ISO15693という通信方式を用いるものがある。そこで、それらの通信方式のいずれかの通信方式で通信する非接触ＩＣカードが混在するシステムの場合には、図８（ｃ）に示すように、FeliCa（登録商標）タイプの非接触ＩＣカードに対する要求信号、typeAタイプの非接触ＩＣカードに対する要求信号、typeBタイプの非接触ＩＣカードに対する要求信号を、予め定められた順番に従って送信するという手法をとり、図８（ｃ）の時間Ｔ１で示す周期を繰り返すことで、読取装置は、非接触ＩＣカードとの通信を実行する。
【００４３】
さて、本実施の形態においては、読取装置であるハイブリッドリーダ１００は、アクティブタグ及び非接触ＩＣカードの両方に対して要求信号を送信する必要があり、図７に示したフローチャートに従って動作した場合には、図９に示すように要求信号が送信される。
ＬＦ帯送受信器２４０がＬＦ帯で要求信号を送信する場合には、図８（ａ）に示す場合と同様に要求信号を送信するが、非接触ＩＣカードに対して要求信号を送信するＨＦ帯送受信器２６０については、図８（ｂ）に示すようなタイミングではなく、図９に示すように、ＬＦ帯送受信器２４０がＬＦ帯で要求信号を送信していないタイミングにおいて、非接触ＩＣカードに対する要求信号を送信する。
【００４４】
このように構成することで、ＬＦ帯での要求信号と、ＨＦ帯での要求信号とが互いに対するノイズとなることがないので、アクティブタグあるいは非接触ＩＣカードにおいて要求信号が正しく受信できないという事態を、ＬＦ帯の要求信号とＨＦ帯の要求信号とを同時に送信する場合に比して、軽減できる。
なお、図９においては、ＨＦ帯送受信器が送信する要求信号をFeliCa（登録商標）タイプの非接触ＩＣカードに対する要求信号を送信する事例として記載したが、これは、使用される非接触ＩＣカードのタイプに応じて、例えば、図１０に示すように、typeBの通信方式に従う非接触ＩＣカードを運用するならば、typeBの通信方式で要求信号を送信してもよいし、通信方式の異なる非接触ＩＣカードを同時に運用するならば、図１１に示すように、通信方式の異なる要求信号を予め定められた順番に従ってＬＦ帯の要求信号が送信されていないタイミングで送信することとしてもよい。
＜実施の形態２＞
上記実施の形態１における信号の送信タイミングについての別の手法を説明する。
【００４５】
本実施の形態２は、複数の通信方式による要求信号を送信しなければならない場合の例であり、その場合における非接触ＩＣカードに対する要求信号の送信の効率化を図るものである。
上述した複数の通信方式には、変調度が相異なるものが含まれ、通常ＡＳＫ１００％（TypeA）、ＡＳＫ１０％（FeliCa（登録商標）、TypeB）のいずれかの変調方式をとる。ＡＳＫ１００％の場合信号の振幅の０と１の差が大きいため、０、１の判断が容易であるため、ノイズに強い変調方式と言える。
【００４６】
そこで、本実施の形態２におけるハイブリッドリーダ１００は、ＡＳＫ１００％の変調方式を用いる通信方式、具体的にはtypeAの通信方式については、ＬＦ帯送受信器２４０がＬＦ帯で要求信号を送信しているタイミングで、ＨＦ帯送受信器２６０がtypeAの通信方式で要求信号を送信し、それ以外の通信方式に従う非接触ＩＣカードに対する要求信号については、上記実施の形態に示したように、ＬＦ帯送受信器２４０が要求信号を送信していないタイミングで要求信号を送信する。
【００４７】
では、この場合の構成や動作について、上記実施の形態１と異なる部分について説明する。
＜構成＞
ＣＰＵ２８０は、実施の形態１とは異なり、非接触ＩＣカードに対する要求信号のうち、ＡＳＫ１００％の通信方式であるtypeAの通信方式については、ＬＦ帯送受信器２４０に対する要求信号の送信タイミングと同じタイミングでＨＦ帯送受信器２６０に対して要求信号の送信と停止を指示し、その他のtypeBやFeliCa（登録商標）などのＡＳＫ１００％ではない通信方式については、実施の形態１と同様に、ＬＦ帯で要求信号を送信していないタイミングで、ＨＦ帯送受信器２６０に送信の指示をする。
＜動作＞
実施の形態２の場合のハイブリッドリーダ１００の動作を説明する。
【００４８】
ハイブリッドリーダ１００のＣＰＵ２８０は、ＬＦ帯送受信器２４０に対して要求信号の逐次送信の開始を指示するとともに、ＨＦ帯送受信器２６０に対してＡＳＫ１００％の通信方式（ここではtypeA）での要求信号の逐次送信を指示する（ステップＳ１２０１）。
ＨＦ帯送受信器２６０は非接触ＩＣカードからの応答信号を受信した場合に（ステップＳ１２０２のＹＥＳ）、受信した応答信号を復調して、ＣＰＵ２８０に伝達する。ＣＰＵ２８０は、伝達された応答信号に含まれる識別情報が、保持していた認証情報２７１に含まれているか否かの認証処理を実行する（ステップＳ１２０３）。なお、送信した要求信号に対する応答信号を受信していない場合には（ステップＳ１２０２のＮＯ）、ステップＳ１２０４に移行する。
【００４９】
ＣＰＵ２８０は、ＬＦ帯送受信器２４０に要求信号の送信を開始させてから、所定時間ｔ１が経過したか否かを判断する（ステップＳ１２０４）。所定時間が経過していなかった場合には（ステップＳ１２０４のＮＯ）、ステップＳ１２０２の処理に戻る。
所定時間が経過していた場合には（ステップＳ１２０４のＹＥＳ）、ＣＰＵ２８０は、ＬＦ帯送受信器２４０及びＨＦ帯送受信器２６０に要求信号の送信の停止を指示する（ステップＳ１２０５）。
【００５０】
そして、その指示の後にＣＰＵ２８０は、ＨＦ帯送受信器２６０に、非接触ＩＣカード１２０のtypeA以外の通信方式（ここではFeliCa（登録商標）とtypeB）で識別情報を要求する要求信号の送信の開始を指示する（ステップＳ１２０６）。
ＨＦ帯送受信器２６０は、送信した要求信号に対する応答である応答信号を受信した場合に（ステップＳ１２０７のＹＥＳ）、当該応答信号を復調してＣＰＵ２８０に伝達する。あるいは、ＬＦ送受信器２４０又はＵＨＦ帯受信器２５０が、アクティブタグが送信した応答信号を受信した場合に（ステップＳ１２０７のＹＥＳ）、当該応答信号を復調してＣＰＵ２８０に伝達する。そして、ＣＰＵ２８０は、伝達された応答信号に含まれる識別情報が、認証情報２７１に含まれているか否かを判定する認証処理を実行する（ステップＳ１２０８）。なお、応答信号を受信していない場合には（ステップＳ１２０７のＮＯ）、ステップＳ１２０９に移行する。
【００５１】
ＣＰＵ２８０は、ＨＦ帯送受信器２６０に、要求信号の送信を開始させてから所定時間ｔ２が経過したか否かを判定する（ステップＳ１２０９）。所定時間が経過していない場合には（ステップＳ１２０９のＮＯ）、ステップＳ１２０７の処理に戻る。
所定時間が経過していた場合には（ステップＳ１２０９のＹＥＳ）、ＨＦ帯送受信器２６０に要求信号の送信の停止を指示し（ステップＳ１２１０）、ステップＳ１２０１の処理に戻る。
【００５２】
このように、ハイブリッドリーダ１００が動作した場合の各信号の送信タイミングを図１３を用いて説明する。
ＬＦ帯送受信器２４０がＬＦ帯で要求信号を送信する間は、ＨＦ送受信器２６０はtypeAの通信方式で要求信号を送信している。
そして、ＬＦ帯送受信器２４０が要求信号を送信していない間は、FeliCa（登録商標）とtypeBとの通信方式で交互に要求信号を送信する。
【００５３】
実施の形態２におけるハイブリッドリーダ１００は、周期Ｔ０に示すように要求信号の送信を繰り返すことで、ノイズに弱いFeliCa（登録商標）とtypeBの通信方式については、ＬＦ帯で要求信号を送信していないタイミングで送信することで、非接触ＩＣカードにおいて要求信号がＬＦ帯の信号による影響を受けずに受信される。また、ノイズに強いtypeAの通信方式による要求信号をＬＦ帯での要求信号が送信されているタイミングで送信することで、図１１の場合に比して、時間に関する通信帯域をより有効に活用することができる。
＜実施の形態３＞
上記実施の形態２においては、ハイブリッドリーダ１００がアクティブタグに送信するＨＦ帯の信号と、通信方式の種別の異なる非接触ＩＣカードに対して送信するＬＦ帯の信号との間の干渉に着目し、通信方式の種別の異なる非接触ＩＣカードに対してそれぞれの信号を送信するタイミングを決定することとした。
【００５４】
本実施の形態３においては、更に、非接触ＩＣカードが送信する信号の干渉も考慮して、非接触ＩＣカードへの要求信号の送信タイミングを決定する。
上記実施の形態２においては、ハイブリッドリーダ１００は、ＬＦ帯の要求信号の送信タイミングにおいて、typeAの非接触ＩＣカードに対しても要求信号を送信することとした。これは、ノイズに強いＡＳＫ１００％で変調するtypeAの通信方式では、非接触ＩＣカードが要求信号を正しく受信できるためであるが、本発明に係る認証システムにおいては、非接触ＩＣカードが要求信号を受信できることよりも重要になってくるのは、ハイブリッドリーダ１００が非接触ＩＣカードが送信する応答信号を正しく受信できることであるといえる。これは、ハイブリッドリーダ１００がノイズによって誤った識別子を読み取ることになった場合に、本来扉の電気錠を解錠できる識別子を保持する非接触ＩＣカードで認証を行なったのに解錠がされない可能性があるからである。
【００５５】
本実施の形態３におけるハイブリッドリーダ１００の要求信号の送信タイミングを説明するに当たり、まず、typeA、typeB、Felica（登録商標）の各非接触ＩＣカードの信号の送信方式について説明する。
図１４は、各種の非接触ＩＣカードとハイブリッドリーダ間の信号の送信方法を示した表であり、通信速度、符号化方式、変調方式を示している。
【００５６】
図１４に示すように、ハイブリッドリーダ１００は、typeAの非接触ＩＣカードに対しては、変形ミラー符号を用いて、ＡＳＫ１００％で変調した信号を送信している。また、ハイブリッドリーダ１００は、typeBの非接触ＩＣカードに対しては、ＮＲＺ符号を用いて、ＡＳＫ１０％で変調した信号を送信している。そして、Felica（登録商標）の非接触ＩＣカードに対しては、万チェス他符号を用いて、ＡＳＫ１０％で変調した信号を送信している。
【００５７】
一方、非接触ＩＣカードはというと、typeAの非接触ＩＣカードは、マンチチェスタ符号を用いてサブキャリア負荷変調で変調した信号を送信している。typeBの非接触ＩＣカードは、ＢＰＳＫ（Binary Phase Shift Keying）を用いて、サブキャリア負荷変調で変調した信号を、Felica（登録商標）の非接触ＩＣカードは、マンチェスタ符号を用いてＡＳＫ１０％で変調した信号を送信している。
【００５８】
なお、typeAの非接触ＩＣカード−ハイブリッドリーダ１００間の通信は１０６ｋｂｐｓという通信速度で、typeBの非接触ＩＣカード−ハイブリッドリーダ１００間の通信は１０６ｋｂｐｓという通信速度で、Felica（登録商標）の非接触ＩＣカード−ハイブリッドリーダ１００間の通信は２１２ｋｂｐｓという通信速度で行なわれる。
サブキャリア負荷変調とは、搬送波を副搬送波で変調する変調方式のことである。即ち、非接触ＩＣカードが送信する信号のうち、typeAの場合は、「０」を意味する成分については、１ビット分に相当するビット期間において後半部分にサブキャリアを発生させ、「１」を意味する成分については、１ビット分に相当するビット期間において前半部分にサブキャリアを発生させる。また、typeＢの場合には、全ての期間においてサブキャリアを発生させるが、信号の開始を示すためのガード時間における信号の位相を「１」、スタートビットを「０」として、信号の内容が変化するごとにサブキャリアの位相を１８０度変化させる（ＢＰＳＫさせる）ことで、「０」「１」の成分を表現する。サブキャリアの周波数は、８４７．５ｋＨｚ帯である。
【００５９】
サブキャリア負荷変調を用いることによって、「０」と「１」との差異がより明確になるので、ハイブリッドリーダ１００は、信号の内容の区別がより容易にできるようになる。
逆に言えば、ハイブリッドリーダ１００が発信するＬＦ帯の要求信号は、非接触ＩＣカードからの応答信号に対するノイズとなって、応答信号を正しく受信できない可能性があるものの、サブキャリア負荷変調で変調された信号はそのようなノイズに対する耐性が高いので、ＬＦ帯の要求信号を送信しているタイミングにおいて、サブキャリア負荷変調で変調された応答信号を送信する非接触ＩＣカードに対しても要求信号を送信したとしてもハイブリッドリーダ１００は、ノイズの影響を受けることなく正しく応答信号を受信できる。
【００６０】
そこで、本実施の形態３に係るハイブリッドリーダ１００は以下の構成をとる。なお、以下においては、上記実施の形態２と異なる構成について説明し、上記実施の形態２と共通する動作については割愛する。
＜構成＞
ＣＰＵ２８０は、実施の形態２とは異なり、非接触ＩＣカードに対する要求信号のうち、typeBの通信方式で通信を実行する非接触ＩＣカードについても、ＬＦ帯の要求信号を送信しているタイミングで要求信号を送信させる。
【００６１】
即ち、ＣＰＵ２８０は、ＬＦ帯送受信器２４０に対する要求信号の送信タイミングと同じタイミングでＨＦ帯送受信器２６０に対して、typeAとtypeBの通信方式で通信を実行する非接触ＩＣカードに対して交互に要求信号を送信させ、ＬＦ帯送受信器２４０に要求信号を送信させていないタイミングでは、ＨＦ帯送受信器２６０に対して、Felica（登録商標）とtypeBの通信方式で通信を実行する非接触ＩＣカードに対して交互に要求信号を送信させる。
【００６２】
typeBの非接触ＩＣカードに対してｔ２期間においても要求信号を送信するのは、上記実施の形態２において説明したように、ｔ１期間においては、非接触ＩＣカードがtypeBの要求信号を正しく受信できない可能性があるためである。
＜動作＞
図１５は、実施の形態３に係るハイブリッドリーダ１００の要求信号の送信に係る動作を示すフローチャートである。本実施の形態３に係るハイブリッドリーダ１００の動作で実施の形態２に係る動作と異なるのは、図１５におけるステップＳ１５０１とステップＳ１５０６における動作である。よってここでは、ステップＳ１５０１とステップＳ１５０６について詳細に説明することとし、それ以外の動作については、実施の形態２に準ずるものとしてここでは、説明を割愛する。
【００６３】
ステップＳ１５０１において、ハイブリッドリーダ１００のＣＰＵ２８０は、ＬＦ帯送受信器２４０に対して、要求信号の逐次送信の開始を指示するとともに、ＨＦ帯送受信器２６０に対してサブキャリア負荷変調で変調された信号を送信する非接触ＩＣカードに対する要求信号（ここではtypeA及びtypeB）の逐次送信を指示する（ステップＳ１５０１）。
【００６４】
当該指示を受け付けて、ＬＦ帯送受信器２４０は、アクティブタグに対する要求信号を逐次送信し、ＨＦ帯送受信器２６０は、typeAの非接触ＩＣカードに対する要求信号と、typeBの非接触ＩＣカードに対する要求信号とを交互に送信する。
一方、ｔ１期間が経過する（ステップＳ１２０４のＹＥＳ）と、ハイブリッドリーダ１００のＣＰＵ２８０は、ＬＦ帯送受信器２４０に対して、要求信号の逐次送信の停止を指示する（ステップＳ１２０５）。
【００６５】
そして、ＣＰＵ２８０は、ＨＦ帯送受信器２６０に対してサブキャリア負荷変調で変調された信号を送信する非接触ＩＣカードに対する要求信号のうち、ＡＳＫ１００％で変調された要求信号（typeB）と、サブキャリア負荷変調で変調されていない信号を送信する非接触ＩＣカードに対する要求信号（Felica（登録商標））との逐次送信を指示する（ステップＳ１５０６）。
【００６６】
当該指示を受けて、ＨＦ帯送受信器２６０は、typeBの非接触ＩＣカードに対する要求信号と、Felica（登録商標）の非接触ＩＣカードに対する要求信号とを交互に送信する。
このようにして、動作した場合にハイブリッドリーダ１００が送信する各要求信号の信号タイミングを模式的に示したのが図１６である。
図１６を見れば分かるように、実施の形態２とは異なり、ｔ１期間においてもtypeBの非接触ＩＣカードに対する要求信号が発せられている。
【００６７】
こうすることで、typeBの非接触ＩＣカードに対する要求信号をｔ１期間においても発信することにより、typeBの非接触ＩＣカードの識別子の読取効率を上げることができる。
＜補足＞
上記実施の形態において、本発明の実施の手法について説明してきたが、本発明の実施形態がこれに限られないことは勿論である。以下、上記実施形態以外に本発明として含まれる各種の変形例について説明する。
（１）上記実施の形態２においては、ＡＳＫ１００％の場合とＡＳＫ１０％の場合とを例に説明したが、ＬＦ帯の要求信号の送信時にＨＦ帯の要求信号を送信する場合のＨＦ帯の通信方式の選定は、ノイズに対する耐性の高い、低いで分けられてよく、例えば、予め定められた変調度の閾値によって分けてもよい。また、上記実施の形態においては、ＡＳＫの場合を示したが、これはＰＳＫ（Phase Shift Keying）の場合であっても変調度の違いにより分けることが可能である。
（２）上記実施の形態においては、アクティブタグと非接触ＩＣカードの区別を識別情報の先頭２文字の「ＩＣ」と「ＩＤ」で区別することとしたが、これはアクティブタグがアクティブタグであることを示す情報を識別情報とは別途に保持する、あるいは、非接触ＩＣカードが非接触ＩＣカードであることを示す情報を識別情報とは別途に保持しており、当該情報を応答信号に含むことでハイブリッドリーダ１００のＣＰＵ２８０が認証対象となる認証媒体がアクティブタグであるのか非接触ＩＣカードであるかを認識することとしてもよい。
【００６８】
あるいは、ＣＰＵ２８０は、ＬＦ帯送受信器２４０、ＨＦ帯送受信器２６０、ＵＨＦ帯受信器２５０のいずれから応答信号を伝達されたかで、アクティブタグであるか非接触ＩＣカードであるかを認識することとしてもよい。
（３）上記実施の形態においては、ハイブリッドリーダ１００−アクティブタグ１１０間の通信は、ハイブリッドリーダ１００からＬＦ帯で要求信号を受けて、アクティブタグ１１０が応答信号を返すことで通信を行うこととしたが、アクティブタグ１１０は、自機内蔵の電池３５０の電力を用いてＵＨＦ帯で応答信号を送信する仕様になっていることから、電池３５０の電力が切れてＵＨＦ帯で送信することができないという事態が発生することがある。
【００６９】
そこで、ハイブリッドリーダ１００−アクティブタグ１１０間では、上述した通信方式のほかにもハイブリッドリーダ１００からアクティブタグ１１０に対して電力を供給しつつ認証を行うＬＦ帯を用いて近接通信を実行する通信方式で通信することができる。この場合、アクティブタグ１１０は、ＬＦ帯で応答信号を送信する。即ちハイブリッドリーダ１００−非接触ＩＣカード１２０間でＨＦ帯を用いて行われているハイブリッドリーダ１００から電力を供給しながら行う通信をＬＦ帯で実行する。
【００７０】
このような場合に対応して、ハイブリッドリーダ１００には、通信方式を切り替えるスイッチを設けられており、ユーザが当該ボタンを押下している間は、ハイブリッドリーダ１００はアクティブタグ１１０に対して電力を供給しながら認証を行う通信方式に切り替える。
このときも、実施の形態１に示すように、ＬＦ帯でアクティブタグに対する要求信号を送信するタイミングでは、ＨＦ帯での非接触ＩＣカードに対する要求信号の送信は行わず、ＬＦ帯でアクティブタグに対する要求信号を送信しないタイミングでは、ＨＦ帯での非接触ＩＣカードに対する要求信号の送信を行う。
（４）上記実施の形態において示したＬＦ帯送受信器２４０が要求信号を送信する周期（ｔ１中ｔ２）について具体的な時間は示さなかったが、これは、認証システムの運用上実用に耐える時間であればよく、例えばｔ１を１００msec、ｔ２を３００msecなどに設定したり、あるいはｔ１を２００msec、ｔ２を５００msecなどに設定したりしてもよい。
【００７１】
なお、この時間は、ハイブリッドリーダ１００において、システム管理者が適宜自由に設定できるように構成してもよい。
（５）上記実施の形態において説明した非接触ＩＣカードの通信方式については、上記実施の形態で示した通信方式に限定されず、認証システムにおいて使用する通信方式に対応してよい。また、複数種類の通信方式を使用する場合でもその組み合わせも上記実施の形態に限定されず、例えば、FeliCa（登録商標）とISO15693の組み合わせであってもよい。
【００７２】
また、ハイブリッドリーダ１００は、複数の通信方式の中からどの通信方式を使用するかを設定できるように構成されていてもよく、上位装置１３０から設定できてもよい。
（６）上記実施の形態においては、ハイブリッドリーダ１００が認証を行う形態を示した。しかし、認証システムにおいてはハイブリッドリーダ１００が認証を行わない形態をとることもある。
【００７３】
ここでは、ハイブリッドリーダ１００が認証を行わない場合の認証に係る変形例を示す。この変形例の場合、ハイブリッドリーダ１００は電気錠１５０とは接続されず、上位装置１３０が電気錠に接続される。そして、上記実施の形態ではハイブリッドリーダ１００が行っていた電気錠１５０の施解錠を上位装置１３０が実行することになる。
まず、ハイブリッドリーダ１００は、認証情報２７１を保持せず、アクティブタグ１１０あるいは非接触ＩＣカード１２０から識別情報を取得した場合に、上位装置１３０に伝達する。
【００７４】
上位装置１３０は、ハイブリッドリーダ１００から伝達されてきた識別情報が認証情報の中に登録されている識別情報に一致するかを判定し、肯定的な判定をした場合に電気錠１５０に対して解錠を指示する。否定的な判定をした場合にハイブリッドリーダ１００に対して、認証不可を示す信号を送信し、ハイブリッドリーダ１００は、ＬＥＤを赤色に点灯させるなどして、認証に失敗したことをユーザに通知する。
（７）上記実施の形態３において、typeAの非接触ＩＣカードに対する要求信号はｔ１の期間のみ発信することとしたが、これは、ｔ２の期間においても発信することとしてもよい。
（８）上記実施の形態で示した要求信号の送信に係る動作（図７参照）を読取装置のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施の形態で示したような各種機能が実現されるようになる。
【符号の説明】
【００７５】
１００  ハイブリッドリーダ（読取装置）
１１０  アクティブタグ
１２０  非接触ＩＣカード
１３０  上位装置
１４０  扉
１５０  電気錠
２１０  I/F部
２２０  操作部
２３０  通知部
２４０  ＬＦ帯送受信器
２４１  ＬＦアンテナ
２５０  ＵＨＦ受信器
２５１  ＵＨＦアンテナ
２６０  ＨＦ帯送受信器
２６１  ＨＦアンテナ
２７０  記憶部
２７１  認証情報
２８０  ＣＰＵ
３１０  ＬＦ帯送受信器
３１１  ＬＦアンテナ
３２０  ＵＨＦ送信器
３２１  ＵＨＦアンテナ
３３０  メモリ
３３１  識別情報
３４０  ボタン
３５０  電池
３６０  ＣＰＵ
４１０  ＨＦ送受信器
４１１  ＨＦアンテナ
４２０  メモリ
４２１  識別情報
４３０  ＣＰＵ
【図１】
2010218532.tif 000003
【図２】
2010218532.tif 000004
【図３】
2010218532.tif 000005
【図４】
2010218532.tif 000006
【図５】
2010218532.tif 000007
【図６】
2010218532.tif 000008
【図７】
2010218532.tif 000009
【図８】
2010218532.tif 000010
【図９】
2010218532.tif 000011
【図１０】
2010218532.tif 000012
【図１１】
2010218532.tif 000013
【図１２】
2010218532.tif 000014
【図１３】
2010218532.tif 000015
【図１４】
2010218532.tif 000016
【図１５】
2010218532.tif 000017
【図１６】
2010218532.tif 000018